(57)【要約】  【課題】  各個人が手の大きさに関係なくハンドルを適切に握持できると共に、容易に回動操作を行うことができ、長時間遊技を続けても手及び指の疲労感の少ないパチンコ機を提供する。  【解決手段】  ハンドル本体部４１の遊技者側の先端部が斜め上方向に傾斜し、回動部材４３の回動軸心４３Ａは、この遊技者側先端部に対してほぼ垂直になるように設けられている。また、該回動部材４３の前面側を覆う保持部材４２には遊技者側方向に膨出する略半球状の膨出部５２が設けられている。更に、回動部材４３と保持部材４２の外側表面部は、所定厚さの可撓性材料で形成される把持部材４４で覆われ、この膨出部５２に対向する当接部４４Ａは、遊技者の手の平内に収まるように形成されている。また、把持部材４４のスカート部４４Ｂの内周面は、回動部材４３の外周面に固着されている。  【選択図】  図８
2006304989.tif 000002
【特許請求の範囲】
【請求項１】
パチンコ球を発射する発射装置と、該発射装置の発射勢を調整する操作ハンドルと、前記操作ハンドルの調整に応じて前記発射装置を駆動制御する発射制御装置と、を備えたパチンコ機において、
前記操作ハンドルは、
後端部がパチンコ機の前面部に固設されるハンドル本体部と、
前記ハンドル本体部の遊技者側先端部に回動可能に設けられてパチンコ球の発射勢を調整する略環状の回動部材と、
前記回動部材を前記ハンドル本体部との間に回動可能に保持すると共に、該回動操作部材の遊技者側前端部から遊技者側方向に膨出して形成される略半球状の膨出部を有する保持部材と、
所定厚さの可撓性材料で形成されて、前記回動部材と前記保持部材との外側表面部を覆うと共に、前記膨出部を覆う部分が遊技者の手の平内に収まるように形成される把持部材と、
を備え、
前記把持部材は、前記保持部材を覆う内周面が該保持部材の外周面に沿って摺動可能に形成されると共に、前記回動部材を覆う内周面が該回動部材の外周面に固着されて、該回動部材と共に回動するように設けられていることを特徴とするパチンコ機。
【請求項２】
前記ハンドル本体部は、遊技者側の先端部が斜め上方向に傾斜するように形成され、
前記保持部材は、前記回動部材の回動軸心が該ハンドル本体部の遊技者側先端部に対して垂直になるように該回動部材を回動可能に保持することを特徴とする請求項１に記載のパチンコ機。
【請求項３】
前記回動部材は、外周部に形成される複数の凹み部を有することを特徴とする請求項１又は請求項２に記載のパチンコ機。
【請求項４】
前記把持部材は、遊技者の手の平に対向する部分の内部に遊技者が触れていることを検出する圧力センサを有することを特徴とする請求項１乃至請求項３のいずれかに記載のパチンコ機。
【発明の詳細な説明】
【技術分野】
【０００１】
本発明は、パチンコ球を発射する発射装置と、パチンコ球の発射勢を調整する操作ハンドルと、前記操作ハンドルの調整に応じて前記発射装置を駆動制御する発射制御装置と、を備えたパチンコ機に関するものである。
【背景技術】
【０００２】
従来より、パチンコ球を発射する発射装置と、回動操作部材を回動させてパチンコ球の発射勢を調整する操作ハンドルと、前記操作ハンドルの調整に応じて前記発射装置を駆動制御する発射制御装置と、を備えたパチンコ機に関して種々提案されている。
例えば、パチンコ機本体であって遊技者側に面した前面に固着され、遊技者の操作手の内面が当接される当接体を有するハンドル本体と、同パチンコ機本体内に内蔵されたパチンコ球発射装置と連動して自身が回動する際の回動量に応じて同パチンコ球発射装置からのパチンコ球の発射速度を調整する回動部材とを有するハンドルを備えたパチンコ機において、前記ハンドル本体の当接体を可撓性材料によって形成したパチンコ機が提案されている（例えば、特許文献１参照。）。
【特許文献１】特開２００１−６２０５１号公報（段落（０００８）〜（００１７）、図１〜図７）
【発明の開示】
【発明が解決しようとする課題】
【０００３】
しかしながら、上述のパチンコ機のハンドルの構造では、ハンドル本体の当接体は可撓性材料で形成されているが、回動部材の回転に伴って回転するものではない。このため、、遊技球発射装置の長時間駆動による駆動条件の変化によって遊技球の発射勢が少し変化した場合に、当接部材に形成された凹み部に指が引っ掛かて微小なハンドル操作を行うことが難しくなるという問題がある。また、当接体だけが変形し、回動部材の外周部は変形しないため、各個人の手の大きさの違いにより、各個人がハンドルを適切に握持できない虞が有るという問題がある。
【０００４】
そこで、本発明は、上述した問題点を解決するためになされたものであり、各個人が手の大きさに関係なくハンドルを適切に握持できると共に、容易に回動操作を行うことができ、長時間遊技を続けても手及び指の疲労感の少ないパチンコ機を提供することを目的とする。
【課題を解決するための手段】
【０００５】
前記目的を達成するため請求項１に係るパチンコ機は、パチンコ球を発射する発射装置と、パチンコ球の発射勢を調整する操作ハンドルと、前記操作ハンドルの調整に応じて前記発射装置を駆動制御する発射制御装置と、を備えたパチンコ機において、前記操作ハンドルは、後端部がパチンコ機の前面部に固設されるハンドル本体部と、前記ハンドル本体部の遊技者側先端部に回動可能に設けられてパチンコ球の発射勢を調整する略環状の回動部材と、前記回動部材を前記ハンドル本体部との間に回動可能に保持すると共に、該回動操作部材の遊技者側前端部から遊技者側方向に膨出して形成される略半球状の膨出部を有する保持部材と、所定厚さの可撓性材料で形成されて、前記回動部材と前記保持部材との外側表面部を覆うと共に、前記膨出部を覆う部分が遊技者の手の平内に収まるように形成される把持部材と、を備え、前記把持部材は、前記保持部材を覆う内周面が該保持部材の外周面に沿って摺動可能に形成されると共に、前記回動部材を覆う内周面が該回動部材の外周面に固着されて、該回動部材と共に回動するように設けられていることを特徴とする。
【０００６】
また、請求項２に係るパチンコ機は、請求項１に記載のパチンコ機において、前記ハンドル本体部は、遊技者側の先端部が斜め上方向に傾斜するように形成され、前記保持部材は、前記回動部材の回動軸心が該ハンドル本体部の遊技者側先端部に対して垂直になるように該回動部材を回動可能に保持することを特徴とする。
【０００７】
また、請求項３に係るパチンコ機は、請求項１又は請求項２に記載のパチンコ機において、前記回動部材は、外周部に形成される複数の凹み部を有することを特徴とする。
【０００８】
更に、請求項４に係るパチンコ機は、請求項１乃至請求項３のいずれかに記載のパチンコ機において、前記把持部材は、遊技者の手の平に対向する部分の内部に遊技者が触れていることを検出する圧力センサを有することを特徴とする。
【発明の効果】
【０００９】
請求項１に係るパチンコ機では、遊技者は操作する手の平を把持部材の膨出部に対向する位置に当接させながらこの把持部材を掴み、回動させて所定の位置でこの把持部材を保持することにより、回動部材が把持部材と共に回動するため、長時間把持部材を握っていても容易に回動操作を行ってパチンコ球の発射勢を調整することができる。また、把持部材は所定厚さ（例えば、厚さ約５〜１０ｍｍである。）の可撓性材料で形成されているため、操作する手指の内面に応じて変形し、かつ弾性をもって手指と当接するため、各個人が手の大きさに関係なくハンドルを適切に握持できると共に、長時間同じ位置で把持部材を握っている手の疲労の軽減を図ることができる。
【００１０】
また、請求項２に係るパチンコ機では、前記保持部材の略半球状の膨出部は、遊技者側斜め上方向を向くと共に、把持部材の該膨出部を覆う部分は、遊技者の手の平内に収まるように形成されている。このため、遊技者が把持部材を回動操作してパチンコ球の発射勢を調整する場合には、遊技者の手の平を略半球状の膨出部に対向する把持部材の上側に斜め上方向から載せて、手にかかる重量をほぼ全て把持部材の上側に載せて操作することととなる。
これにより、遊技者がパチンコ球発射のために把持部材に指を掛けて操作ハンドルを把持する場合には、把持部材は所定厚さの可撓性材料で形成されているため、この把持部材の上側に載せられた遊技者の手及び指にかかる重量に従って自然に深く窪み、該把持部材を確実に握って微小な回動操作を容易に行うことができる。また、遊技者がパチンコ球発射のために把持部材に指を掛けて操作ハンドルを把持する行為自体が、手の平を膨出部に対向する把持部材の上側に載せる行為となり、スムーズな姿勢で、この把持部材の回動操作を行うことができ、長時間遊技を続けても手及び指の疲労感を更に少なくすることができる。
【００１１】
また、請求項３に係るパチンコ機では、回動部材の外周部には複数の凹み部が形成されているため、把持部材の各凹み部に対向する部分に手指を掛けた場合には、より深くくぼみ、長時間把持しても手の滑りを確実に防止することが可能となる。
【００１２】
更に、請求項４に係るパチンコ機では、把持部材の遊技者の手の平に対向する部分の内部に遊技者が触れていることを検出する圧力センサが設けられている。これにより、遊技者が回動部材を回動させる場合には、所定厚さの可撓性材料で形成される把持部材をしっかり握って回動させることが必要となり、該把持部材内には、確実に所定圧力が発生して、圧力センサによってこの発生圧力を検出することができる。即ち、把持部材内の圧力変化を検出することによって、遊技者のパチンコ球の発射行為を従来のタッチセンサによって検出する方法（例えば、特開平５−３１２２６号公報参照。）よりも更に的確に検出して発射装置を駆動制御することが可能となる。
【発明を実施するための最良の形態】
【００１３】
以下、本発明に係るパチンコ機について具体化した一実施例を図面を参照して詳細に説明する。
【実施例１】
【００１４】
先ず、本実施例に係るパチンコ機の概略構成について図１及び図２に基づき説明する。
図１及び図２に示すように、パチンコ機１は、正面視矩形に形成される木製の外枠２に対して合成樹脂製の内枠３が、内枠取付用ヒンジを構成する上ヒンジ３Ａ及び下ヒンジ３Ｂを介して外枠２に対して開閉自在に取り付けられている。そして、この内枠３のほぼ上半分の前側には、合成樹脂製の前面カバー部材４が左端縁部の上下を軸支されて開閉自在に取付けられている。また、この前面カバー部材４のほぼ中央部には略円形の窓部５が開設され、この窓部５の外周縁部に形成されるガラス保持枠に装着された２枚のガラスを通して不図示の遊技盤上の遊技領域を見ることができるように構成されている。また、前面カバー部材４の窓部５の左上端縁部には、フルカラーの発光ダイオードが内蔵され、遊技中のエラーを表示するエラー表示電飾ランプ６が取付けられている。また、前面カバー部材４の正面視四隅には、スピーカ７が配置されている。また、前面カバー部材４の前面部分は、窓部５の周囲が不透明な合成樹脂製の前面部材４Ａで覆われており、不図示のフルカラーダイオードが窓部５の外周部に沿って内蔵され、遊技中に光演出が行われる。
【００１５】
また、前面カバー部材４の右側端縁部には、内枠３及び前面カバー部材４を施錠する施錠装置（不図示）を操作するための鍵挿入部４Ｂが設けられている。前面カバー部材４を開くためには、この鍵挿入部４Ｂに所定のキーを挿入して所定方向に回せば、施錠装置のロック状態が解除されて、前面カバー部材４のみがオープンされる。
また、この前面カバー部材４の下側には、賞球払出装置２２を介して払い出される賞球を受ける上皿８が配設されている。また、この上皿８は、左端縁部の上下を軸支されて、前面カバー部材４を開放後、内側に設けられた不図示のレバーを下げることにより開放できるように取付けられている。また、この上皿８の中央前面部には、不図示のカード式球貸機を操作する球貸操作部８Ｂが設けられ、各操作ボタン８Ｃ、８Ｄが配置されている。そして、その上皿８の下には、下皿９が配設される。また、この下皿９の上端面左方には演出表示等に使用可能な各スイッチボタン９Ａ、９Ｂが配置されている。
【００１６】
また、上皿８に連通する不図示の球送り機構を介して上皿８のパチンコ球が操作ハンドル１０によりパチンコ球の発射勢を調整される発射装置（不図示）へ送られるよう構成されている。この発射装置は、供給されるパチンコ球を連続的に叩打する発射ソレノイドや発射勢装置として機能する発射制御基板等から構成され、該発射制御基板は、操作ハンドル１０の内部に取り付けられる可変抵抗器５７（図７参照）を介して発射ソレノイドへの供給電力が調節され、パチンコ球の発射勢を強めたり、弱めたりすることが可能なように構成されている。
【００１７】
また、外枠２の内枠３より下側部分の前面部を左右方向及び上下方向の各全幅に渡って覆うようにスピーカ筐体１１が設けられている。
また、内枠３を閉じた場合には、該内枠３の下端部は、その自重によってスピーカ筐体１１の上端面部に当接している。また、このスピーカ筐体１１の底面前端縁部には、左右方向全幅に渡って外枠２の下端面に対向する位置まで下方に突設されるリブ部（不図示）が設けられている。
【００１８】
また、この内枠３のほぼ中央部には不図示の遊技盤が着脱自在なように鉄板等の金属製や合成樹脂製又は合成樹脂の一体成形により形成される機構盤１８に取り付けられている。そして、この機構盤１８の裏側には合成樹脂製の機構セット盤２０が開閉自在に蝶番により取り付けられている。
【００１９】
また、パチンコ機１の裏側最上段には、上方に開口した賞球タンク２１が機構セット盤２０に固定されている。賞球タンク２０は、傾斜した底面に連通孔が形成され、その連通孔の下方にはパチンコ球を２列に整列流出し、賞球払出装置２２にパチンコ球を送る通路を形成するタンクレール２３が取付けられている。また、賞球払出装置２２内には、賞球案内部２４内の賞球通路を通過するパチンコ球を確認する球有り検出スイッチやパチンコ球の払い出しを調節する払い出しステッピングモータが内装されている。そして、これら賞球タンク２１、タンクレール２３、賞球案内部２４、賞球払出装置２２等により賞球及び貸球の払い出しシステムが構成されている。
【００２０】
また、タンクレール２３の下側には液晶表示器（ＬＣＤ）等を制御する演出表示基板が内蔵される演出表示基板ケース２６が配設されている。また、演出表示基板ケース２６の横側には普通役物等を駆動制御する役物駆動制御基板が内蔵される役物駆動制御基板ケース２７が配設されている。また、演出表示基板ケース２６の下側には、各スピーカ７、スピーカ筐体１１に内蔵されるスピーカ及びエラー表示電飾ランプ６等のフルカラーダイオードを駆動制御するサブ統合制御基板が内蔵されるサブ統合制御基板ケース２８が配設されている。また、このサブ統合制御基板ケース２８の下側には、パチンコ機１の遊技動作を制御する主制御基板が内蔵される主制御基板ケース２９が配設されている。そして、この主制御基板ケース２９の遊技者側前面部には、操作ハンドル１０の操作によって発射装置を駆動制御する発射制御基板が内蔵される発射制御基板ケース３０が配設されている。また、主制御基板ケース２９の横側には、賞球払出装置２２を駆動制御する払出制御基板が内蔵される払出制御基板ケース３１が配設されている。更に、この払出制御基板ケース３１の下側には、ＡＣ２４Ｖの供給電源からＤＣ５ＶやＤＣ１２Ｖ等の各種駆動電源を生成して供給する電源基板が内蔵される電源基板ケース３２が配設されている。
【００２１】
次に、操作ハンドル１０の概略構成について図３乃至図９に基づいて説明する。
図３乃至図９に示すように、操作ハンドル１０は、内枠３の前面部にビス止め等によって固設されるハンドル本体部４１と、このハンドル本体部４１に固定的に保持される保持部材４２と、このハンドル本体部４１と保持部材４２との間に回動可能に設けられる回動部材４３と、所定厚さ（本実施例では、厚さ約５〜１０ｍｍである。）の弾力性を有するウレタンゴム等の可撓性材料で形成されて保持部材４２と回動部材４３との外側表面部を覆う把持部材４４とから構成されている。
【００２２】
ここに、図３乃至図８に示すように、ハンドル本体部４１は、内枠３の前面側に向かって略垂直に突設される略円筒状で、遊技者側先端部が斜め上方向に所定傾斜角度（例えば、約１５度〜２５度の傾斜角度で、望ましくは約２０度〜２２度の傾斜角度である。）で傾斜するように形成された支持部材４５と、この支持部材４５の径よりも大径を有し該支持部材４５の遊技者側先端部に連続するようにビス４６を介して取り付けられ、保持部材４２を固定的に保持する略半球状の碗状部材４７とから構成されている。このため、図５、図６及び図８に示すように、操作ハンドル１０を内枠３の前面部に取り付けた場合には、碗状部材４７の遊技者側先端部は、斜め上方向に所定傾斜角度（例えば、約１５度〜２５度の傾斜角度で、望ましくは約２０度〜２２度の傾斜角度である。）で傾斜するように設けられている。また、支持部材４５の後端面には、内枠３の前面部に形成される不図示の位置決め孔に嵌入される各位置決め突起４８が突設されている。また、この支持部材４５の後端面には、操作ハンドル１０を内枠３の前面部にネジ止めするための各ネジ孔４９が設けられている。
【００２３】
また、図８及び図９に示すように、碗状部材４７の底面部には、回動部材４３の回動量を検出するための可変抵抗器５７がナットで取り付けられると共に、この可変抵抗器５７の回転軸にはギヤ５８が取り付けられている。かかる可変抵抗器５７は回動部材４３を回転させることによってギヤ５８を介して回転する回転軸の回転量に基づき抵抗値が変化し、このように変化された抵抗値の信号が信号線を介して発射制御基板に入力される。
【００２４】
また、この碗状部材４７の底面部には、発射停止スイッチ６０と、この発射停止スイッチ６０によって該碗状部材４７の外側方向に突出するように（図４参照）付勢されている平面視略Ｓ字形の操作部５０が設けられている。この発射停止スイッチ６０は、発射制御基板に電気的に接続される。そして、操作部５０が押下されていない場合には、該発射制御基板にＯＦＦ信号を送出し、この操作部５０が押下された場合には、該発射制御基板にＯＮ信号を送出するように構成されている。また、発射制御基板は、発射停止スイッチ６０からＯＦＦ信号が入力されている場合には、パチンコ球を叩打する発射ソレノイドを駆動可能な状態に設定し、該発射停止スイッチ６０からＯＮ信号が入力されている場合には、発射ソレノイドを停止するように駆動制御する。
【００２５】
また、図３乃至図８に示すように、保持部材４２は、回動部材４３の遊技者側前端部から遊技者側方向に膨出するように形成される略半球状の膨出部５２と、この膨出部５２の背面部に取り付けられて該膨出部５２の基端部の外周部から略直角外側方向に延出されるように設けられてフランジ部として機能する正面視略円形のフランジ部材５３とから構成されている。また、この膨出部５２の基端部は、回動部材４３の遊技者側前端部の外周径よりも小さい外径に形成され、該基端部と回動部材４３との隙間がフランジ部材５３によって覆われている。
【００２６】
また、この膨出部５２は、平面視及び底面視の場合には略半球状に形成され、側面視の場合には、複数の曲率半径で形成されて、上側基端部から遊技者側方向の先端面部５２Ａに渡って徐々に曲率半径が小さくなるように滑らかな曲面で形成されている。また、図８に示すように、遊技者側方向の先端面部５２Ａが該回動部材４３の回動軸心４３Ａよりも下方に位置するように構成されている。
【００２７】
ここで、図７及び図８に示すように、膨出部５２は、略高さの低い円筒状で、先端側端面部が上方に所定角度傾斜するように形成されるフランジ取付部材６２と、このフランジ取付部材６２の先端側端面部にビス止めされる側面視略半球状で上側基端部から遊技者側方向の先端面部５２Ａに渡って徐々に曲率半径が小さくなるように滑らかな曲面で形成される当接部材６３とから構成されている。これにより、膨出部５２の下面部を容易に下側方向に突出する滑らかな曲面に形成することができ、樹脂成形コストの削減下を図ることができる。
また、膨出部５２は、この膨出部５２の基端部の上端面部と、フランジ部材５３の外周端面部との距離寸法が、該膨出部５２の基端部の下端面部と、フランジ部材５３の外周端面部との距離寸法よりも大きくなるように該フランジ部材５３にビス止めされている。
【００２８】
また、図３乃至図８に示すように、回動部材４３は、その外周部５５に、手の指の長さ等に合致させるとともに指で押下される把持部材４４が填り込むための複数個（図７には３個が示されている）の各凹み部５５Ａ乃至５５Ｃが半径方向内側に所定深さ（本実施例では、深さ約３〜７ｍｍである。）で正面視半月状に窪むように形成されている。また、この回動操作部材の外周部５５は、遊技者側端面部の外径が前記ハンドル本体部側端面部の外径よりも小さくなるように略円錐台形状に形成されている。
【００２９】
また、図７及び図８に示すように、回動部材４３の内側に形成される板状部６５における略中央位置には、回転軸部材７２がビス止めされ、この回転軸部材７２には円筒状の各回転軸部７０、７１が回動軸心４３Ａを軸心とするように、それぞれ所定高さ垂設されている。この回転軸部材７２の回転軸７０は、フランジ部５３の底面部の略中央部に前側方向（図８中、左側方向）に凹むように形成される回転支持部６７に回転可能に嵌入されている。また、回転軸部材７２の回転軸７１は、碗状部材４７の底面部の略中央部に後ろ側方向（図８中、右側方向）に凹むように形成される回転支持部６８に回転可能に嵌入されている。また、この回転軸部材７２の回転軸７１の基端部には、可変抵抗器５７の回転軸に固設されるギヤ５８と歯合するギヤ部７１Ａが形成され、回動部材４３の回動量がギヤ部７１Ａ及びギヤ５８を介して可変抵抗器５７の回転軸に伝達される。
【００３０】
また、回動部材４３の保持部材４２側に立設される回転軸７０の基端部外周には、復帰バネ７３が配設されている。この復帰バネ７３の一端側は、回転軸部材７２に固定され、他端側は、碗状部材４７の内側面に立設されるボス部７５の先端部に固定されている。これにより、回動部材４３は、復帰バネ７３により非操作位置（回転操作されていない位置）に向かって常時付勢されており（図３中、反時計回転方向に付勢されている）、把持部材４４及び回動部材４３が回転された後に、把持部材４４から指が離されると、その捻り弾性力に基づき把持部材４４及び回動部材４３は非操作位置まで復帰される。
【００３１】
また、図７に示すように、碗状部材４７の内側面の３箇所には、内部に貫通孔が形成されて、回動部材４３の板上部６５に形成される正面視円弧上の一対の各溝部７８に挿通される各取付ボス７９が設けられている。これにより、把持部材４４及び回動部材４３の回動範囲が可変抵抗器５７の抵抗可変範囲内に限定されるように構成されている。
【００３２】
また、図７及び図８に示すように、回動部材４３の遊技者側前端部には、保持部材４２を構成するフランジ部材５３の外周部全周に対向する所定深さ（フランジ部材５３の外周部の厚さ寸法にほぼ等しい深さ寸法である。）の段差部８１が形成されている。そして、保持部材４２は、フランジ部材５３がこの段差部８１に遊技者側から嵌め合わされた後、回動部材４３の各溝部７８に挿通された各取付ボス７９にネジ止めされて、ハンドル本体部４１に固設される。また、上記の通り、膨出部５２の基端部の上端面部と、フランジ部材５３の外周端面部との距離寸法が、該膨出部５２の基端部の下端面部と、フランジ部材５３の外周端面部との距離寸法よりも大きくなるように構成されているため、膨出部５２の基端部の上端部と回動部材４３との隙間は、該膨出部５２の基端部の下端部と回動部材４３との隙間よりも大きくなるように形成される。
【００３３】
また、図３乃至図８に示すように、所定厚さの弾性を有するウレタンゴム等の可撓性材料で形成される把持部材４４は、保持部材４２の外側表面部を所定隙間（本実施例では、隙間は約０．０１ｍｍ〜１．０ｍｍである。）を形成して覆う略半球状の当接部４４Ａと、その当接部４４Ａのハンドル本体部側端面部から斜め外側方向に所定幅寸法（本実施例では、回動部材４３の軸方向厚さ寸法にほぼ等しい幅寸法である。）で、側断面円弧状に延出されて、回動部材４３の外側表面部を覆うのスカート部４４Ｂとから形成されている。そして、このスカート部４４Ｂの内周面は、導電性接着剤等によって回動部材４３の外側表面部に固着されている。また、この当接部４４Ａは、遊技者の手の平内に収まるように形成されている。また、図８に示すように、スカート部４４Ｂの内周面と回動部材４３の各凹み部５５Ａ〜５５Ｃとの間には、各空間部８２Ａ〜８２Ｃ（図８中には、空間部８２Ｂが示されている。）が形成されている。
【００３４】
また、把持部材４４の当接部４４Ａのほぼ頂点内部には、回動軸心上に位置するように圧力センサ９１が埋設され、遊技者が把持部材４４を掴んだ場合には、圧力センサ９１から把持信号が出力される。また、把持部材４４のスカート部４４Ｂの内周面と回動部材４３の表面部には、導電性薄膜が形成されて、この圧力センサ９１は、該回動部材４３の板上部６５に設けられるタッチ検出回路７７に電気的に接続されている。そして、このタッチ検出回路７７は、発射制御基板に接続されており、タッチ検出回路７７を介して圧力センサ９１からの把持信号が発射制御基板に入力された場合にのみ発射ソレノイドが駆動可能な状態になるように構成されている。
【００３５】
このため、図９に示すように、遊技者がパチンコ機１の前に座って、右手８３で操作ハンドル１０をもった場合には、把持部材４４の当接部４４Ａの上面部に右手８３の手の平が載せられ、各指が自然に広がった状態で把持部材４４のスカート部４４Ｂに乗せられた後、この把持部材４４を上側から掴むことにより、各指８５の内面形状に応じてスカート部４４Ｂが変形して、各指８５は、把持部材４４のスカート部４４Ｂ等に形成される溝状の変形部によって支持される。また、各指８５によって押圧されたスカート部４４Ｂの各凹み部５５Ａ〜５５Ｃに対向する部分は、この各凹み部５５Ａ〜５５Ｃ内に陥没変形するため、この各凹み部５５Ａ〜５５Ｃに対向する部分に指８５を置いた場合には、変形部の深さはより深くなり、各指８５はより確実に支持される。これにより、各指８５は、把持部材４４のスカート部４４Ｂ等に形成される溝状の変形部によって支持され、遊技者は該把持部材４４を回動操作することによって右手８３が滑ることなく回動部材４３を回動させることができる。一方、把持部材４４を放した場合には、復帰バネ７３の付勢力によって、把持部材４４及び回動部材４３は、非操作位置まで復帰される。
【００３６】
従って、本実施例に係るパチンコ機１では、ハンドル本体部４１の遊技者側の先端部が斜め上方向に傾斜し、回動部材４３の回動軸心４３Ａは、このハンドル本体部４１の遊技者側先端部に対してほぼ垂直になるように設けられている。また、該回動部材４３の前面側を覆う保持部材４２には回動部材４３の遊技者側前端部から遊技者側方向に膨出する略半球状の膨出部５２が設けられている。更に、回動部材４３と保持部材４２の外側表面部は、把持部材４４で覆われ、この膨出部５２に対向する当接部４４Ａは、遊技者の手の平内に収まるように形成されている。また、把持部材４４のスカート部４４Ｂの内周面は、回動部材４３の外周面に固着されている。
【００３７】
これにより、遊技者は操作する手の平を把持部材４４の当接部４４Ａに当接させながらこの把持部材４４を掴み、回動させて所定の位置でこの把持部材４４を保持することにより、回動部材４３が把持部材４４と共に回動するため、長時間把持部材４４を握っていても容易に回動操作を行ってパチンコ球の発射勢を調整することができる。また、把持部材４４は、所定厚さ（例えば、厚さ約５〜１０ｍｍである。）の可撓性材料で形成されているため、操作する手指の内面に応じて変形し、かつ弾性をもって手指と当接するため、各個人が手の大きさに関係なく操作ハンドル１０を適切に握持できると共に、長時間同じ位置で把持部材４４を握っている手の疲労の軽減を図ることができる。
【００３８】
また、保持部材４２の膨出部５２は、遊技者側斜め上方向を向くと共に、把持部材４４の該膨出部５２を覆う当接部４４Ａは、遊技者の手の平内に収まるように形成されている。このため、遊技者が把持部材４４を回動操作してパチンコ球の発射勢を調整する場合には、遊技者の手の平を略半球状の当接部４４Ａの上側に斜め上方向から載せて、右手８３にかかる重量をほぼ全て把持部材４４の上側に載せて操作することととなる。
これにより、遊技者がパチンコ球発射のために把持部材４４に指８５を掛けて操作ハンドル１０を把持する場合には、把持部材４４は所定厚さの可撓性材料で形成されているため、この把持部材４４の上側に載せられた遊技者の右手８３及び指８５にかかる重量に従って自然に深く窪み、該把持部材４４を確実に握って微小な回動操作を容易に行うことができる。また、遊技者がパチンコ球発射のために把持部材４４に指８５を掛けて操作ハンドル１０を把持する行為自体が、手の平を当接部４４Ａの上側に載せる行為となり、スムーズな姿勢で、この把持部材４４の回動操作を行うことができ、長時間遊技を続けても右手８３及び指８５の疲労感を更に少なくすることができる。
【００３９】
また、回動部材４３の外周部には各凹み部５５Ａ〜５５Ｃが形成されているため、把持部材４４のスカート部４４Ｂの各凹み部５５Ａ〜５５Ｃに対向する部分に指８５を掛けた場合には、より深くくぼみ、長時間把持しても右手８３の滑りを確実に防止することが可能となる。
更に、把持部材４４の遊技者の手の平に対向する当接部４４Ａの内部に遊技者が触れていることを検出する圧力センサ９１が設けられている。これにより、遊技者が回動部材４４を回動させる場合には、所定厚さの可撓性材料で形成される把持部材４４をしっかり握って回動させることが必要となり、該把持部材４４内には、確実に所定圧力が発生して、圧力センサ９１によってこの発生圧力を検出することができる。即ち、把持部材４４内の圧力変化を検出することによって、遊技者のパチンコ球の発射行為を従来のタッチセンサによって検出する方法（例えば、特開平５−３１２２６号公報参照。）よりも更に的確に検出して発射装置を駆動制御することが可能となる。
【００４０】
尚、本発明は、上記実施例に限定されるものではなく、本発明の要旨を逸脱しない範囲内で種々の改良、変形が可能であることは勿論である。
【図面の簡単な説明】
【００４１】
【図１】本実施例に係るパチンコ機全体を示した正面側斜視図である。
【図２】本実施例に係るパチンコ機全体を示した背面側斜視図である。
【図３】本実施例に係るパチンコ機の操作ハンドルを示した正面図である。
【図４】本実施例に係るパチンコ機の操作ハンドルを示した背面図である。
【図５】本実施例に係るパチンコ機の操作ハンドルを示した右側面図である。
【図６】本実施例に係るパチンコ機の操作ハンドルを示した左側面図である。
【図７】本実施例に係るパチンコ機の操作ハンドルを示した分解斜視図である。
【図８】本実施例に係るパチンコ機の操作ハンドルを示した側断面図である。
【図９】本実施例に係るパチンコ機の操作ハンドルを手で操作する状態を説明する説明図である。
【符号の説明】
【００４２】
１                  パチンコ機
１０                操作ハンドル
３０                発射制御基板ケース
４１                ハンドル本体部
４２                保持部材
４３                回動部材
４３Ａ              回動軸心
４４                把持部材
４４Ａ              当接部
４４Ｂ              スカート部
４５                支持部材
４７                碗状部材
５２                膨出部
５２Ａ              先端面部
５３                フランジ部
５５                外周部
５５Ａ〜５５Ｃ      凹み部
８２Ａ〜８２Ｃ      空間部
８３                右手
８５                指
【図１】
2006304989.tif 000003
【図２】
2006304989.tif 000004
【図３】
2006304989.tif 000005
【図４】
2006304989.tif 000006
【図５】
2006304989.tif 000007
【図６】
2006304989.tif 000008
【図７】
2006304989.tif 000009
【図８】
2006304989.tif 000010
【図９】
2006304989.tif 000011